(57)【要約】【課題】  非発光面側からの発光を抑制可能な有機ＥＬ素子を提供する。【解決手段】  本発明の有機ＥＬ素子は、基板と、第１の電極と、有機ＥＬ層と、第２の電極とを含み、前記有機ＥＬ層は、発光層を含み、前記基板と、前記第１の電極と、有機ＥＬ層と、前記第２の電極とが、この順序で積層されており、前記第１の電極および前記第２の電極は、一方が陽極であり、他方が陰極であり、前記第１の電極は、透明電極であり、前記第２の電極は、前記有機ＥＬ層の面方向において間隔をあけて配置されており、前記発光層と、前記有機ＥＬ素子における界面のうち前記発光層よりも前記第１の電極側の前記界面との光学距離をＬ１、前記発光層と、前記第２の電極における前記有機ＥＬ層に面する側の前記界面との光学距離をＬ２とした場合に、前記Ｌ１と前記Ｌ２とが、所定の関係であることを特徴とする。【選択図】図１
2019106245.tif 000002
【特許請求の範囲】
【請求項１】
基板と、第１の電極と、有機ＥＬ層と、第２の電極とを含み、
前記有機ＥＬ層は、発光層を含み、
前記基板と、前記第１の電極と、有機ＥＬ層と、前記第２の電極とが、この順序で積層されており、
前記第１の電極および前記第２の電極は、一方が陽極であり、他方が陰極であり、
前記第１の電極は、透明電極であり、
前記第２の電極は、前記有機ＥＬ層の面方向において間隔をあけて配置されており、
前記発光層と、前記有機ＥＬ素子における界面のうち前記発光層よりも前記第１の電極側の前記界面との光学距離をＬ１、前記発光層と、前記第２の電極における前記有機ＥＬ層に面する側の前記界面との光学距離をＬ２とした場合に、前記Ｌ１と前記Ｌ２との関係が、下記（Ｉ）〜（ＩＩＩ）からなる群から選択された少なくとも２つの光が干渉により弱め合う位相の光となる関係であることを特徴とする有機ＥＬ素子。
（Ｉ）前記発光層から出射し、前記有機ＥＬ素子における界面のうち前記発光層よりも前記第１の電極側の界面で反射した光
（ＩＩ）前記発光層から出射し、前記第２の電極における前記有機ＥＬ層に面する側の界面で反射し、さらに、前記発光層よりも前記第１の電極側の前記界面で反射した光
（ＩＩＩ）前記発光層から出射し、前記第２の電極方向に出射した光
【請求項２】
前記発光層から出射する光の波長をλとした場合に、前記Ｌ１、前記Ｌ２、およびλが、下記式（７）に示される関係、ならびに下記式（５）および（６）の少なくとも一方に示される関係のうち少なくとも一方の関係を満たす、請求項１記載の有機ＥＬ素子。
【数１】
2019106245.tif 000013
【数２】
2019106245.tif 000014
【請求項３】
前記発光層から出射する光の波長をλとした場合に、前記Ｌ１、前記Ｌ２、およびλが、下記式（１）および（２）に示される関係、下記式（３）および（４）に示される関係、ならびに下記式（５）および（６）に示される関係からなる群のうち少なくとも１つの関係を満たす、請求項１または２記載の有機ＥＬ素子。
【数３】
2019106245.tif 000015
【数４】
2019106245.tif 000016
【数５】
2019106245.tif 000017
【請求項４】
前記有機ＥＬ素子における界面のうち前記発光層よりも前記第１の電極側の前記界面が、前記第１の電極における、前記有機ＥＬ層に面する側とは反対側の界面である、請求項１から３のいずれか一項に記載の有機ＥＬ素子。
【請求項５】
前記有機ＥＬ素子における界面のうち前記発光層よりも前記第１の電極側の前記界面が、前記基板における、前記第１の電極に面する側とは反対側の界面である、請求項１から４のいずれか一項に記載の有機ＥＬ素子。
【請求項６】
前記第２の電極が、スリット状に配置されている、請求項１から５のいずれか一項に記載の有機ＥＬ素子。
【請求項７】
さらに、位相調整層を含む、請求項１から６のいずれか一項に記載の有機ＥＬ素子。
【請求項８】
前記位相調整層が、前記基板と前記第１の電極との間に配置されている、請求項７記載の有機ＥＬ素子。
【請求項９】
前記位相調整層が、前記発光層から出射する光の波長をλとした場合に、（１／４）λ＋（１／２）ｐλ（ｐは、０以上の任意の整数）の厚みを有する、請求項７または８記載の有機ＥＬ素子。
【請求項１０】
前記位相調整層が、前記第２の電極における間隙に対し、１つおきに対応するように配置されている、請求項７記載の有機ＥＬ素子。
【発明の詳細な説明】
【技術分野】
【０００１】
本発明は、有機ＥＬ素子および有機ＥＬ照明装置に関する。
【背景技術】
【０００２】
デザイン性の高い有機ＥＬ素子として、スリット状に発光する有機ＥＬ素子が知られている（特許文献１）。前記スリット状に発光する有機ＥＬ素子は、例えば、金属電極をスリット状に形成し、スリットとスリットとの間には電極を配置せず、有機膜のみとすることにより形成できる。これにより、スリット−スリット間が透明となり、非発光時には、前記スリット間を通して、前記素子の反対側（裏面側）が見えることになる。そして、発光時には、前記スリット部分が発光し、光の広がりにより、発光面側は、全体的に光っているように見える。
【先行技術文献】
【特許文献】
【０００３】
【特許文献１】特開２０１６−１７７９６７号公報
【発明の概要】
【発明が解決しようとする課題】
【０００４】
一方、前記スリット状に発光する有機ＥＬ素子において、非発光面側は、例えば、前記有機ＥＬ素子の発光時においても、前記スリット間に電極が配置されないことから、ほとんど光っていないように見えると考えられている。しかしながら、実際は、例えば、前記有機ＥＬ素子の内部で反射した光等により、前記スリット間を通して光の漏れが生じ、これが原因で、前記非発光面側が光って見えるため、前記有機ＥＬ素子のデザイン性が損なわれる等の問題があるとの知見が、本発明者により得られた。
【０００５】
そこで、本発明は、例えば、スリット状に発光する有機ＥＬ素子において、前記非発光面側からの発光を抑制することを目的とする。
【課題を解決するための手段】
【０００６】
前記目的を達成するために、本発明の有機ＥＬ素子は、
基板と、第１の電極と、有機ＥＬ層と、第２の電極とを含み、
前記有機ＥＬ層は、発光層を含み、
前記基板と、前記第１の電極と、有機ＥＬ層と、前記第２の電極とが、この順序で積層されており、
前記第１の電極および前記第２の電極は、一方が陽極であり、他方が陰極であり、
前記第１の電極は、透明電極であり、
前記第２の電極は、前記有機ＥＬ層の面方向において間隔をあけて配置されており、
前記発光層と、前記有機ＥＬ素子における界面のうち前記発光層よりも前記第１の電極側の前記界面との光学距離をＬ１、前記発光層と、前記第２の電極における前記有機ＥＬ層に面する側の前記界面との光学距離をＬ２とした場合に、前記Ｌ１と前記Ｌ２との関係が、下記（Ｉ）〜（ＩＩＩ）からなる群から選択された少なくとも２つの光が干渉により弱め合う位相の光となる関係であることを特徴とする。
（Ｉ）前記発光層から出射し、前記有機ＥＬ素子における界面のうち前記発光層よりも前記第１の電極側の界面で反射した光
（ＩＩ）前記発光層から出射し、前記第２の電極における前記有機ＥＬ層に面する側の界面で反射し、さらに、前記発光層よりも前記第１の電極側の前記界面で反射した光
（ＩＩＩ）前記発光層から出射し、前記第２の電極方向に出射した光
【発明の効果】
【０００７】
本発明によれば、例えば、スリット状に発光する有機ＥＬ素子において、前記非発光面側からの発光を抑制できる。
【図面の簡単な説明】
【０００８】
【図１】図１は、実施形態１における有機ＥＬ素子を横からみた模式図（断面図）である。
【図２】図２は、実施形態１における有機ＥＬ素子を横からみた模式図（断面図）である。
【図３】図３は、実施形態２における有機ＥＬ素子を横からみた模式図（断面図）である。
【図４】図４は、実施形態３における有機ＥＬ素子を横からみた模式図（断面図）である。
【発明を実施するための形態】
【０００９】
本発明の有機ＥＬ素子は、例えば、前記発光層から出射する光の波長をλとした場合に、前記Ｌ１、前記Ｌ２、およびλが、下記式（７）に示される関係、ならびに下記式（５）および（６）の少なくとも一方に示される関係のうち少なくとも一方の関係を満たす。
【数１】
2019106245.tif 000003
【数２】
2019106245.tif 000004
【００１０】
本発明の有機ＥＬ素子は、例えば、前記発光層から出射する光の波長をλとした場合に、前記Ｌ１、前記Ｌ２、およびλが、下記式（１）および（２）に示される関係、下記式（３）および（４）に示される関係、ならびに下記式（５）および（６）に示される関係からなる群のうち少なくとも１つの関係を満たす。
【数３】
2019106245.tif 000005
【数４】
2019106245.tif 000006
【数５】
2019106245.tif 000007
【００１１】
本発明の有機ＥＬ素子は、例えば、前記有機ＥＬ素子における界面のうち前記発光層よりも前記第１の電極側の前記界面が、前記第１の電極における、前記有機ＥＬ層に面する側とは反対側の界面である。
【００１２】
本発明の有機ＥＬ素子は、例えば、前記有機ＥＬ素子における界面のうち前記発光層よりも前記第１の電極側の前記界面が、前記基板における、前記第１の電極に面する側とは反対側の界面である。
【００１３】
本発明の有機ＥＬ素子は、例えば、前記第２の電極が、スリット状に配置されている。
【００１４】
本発明の有機ＥＬ素子は、例えば、さらに、位相調整層を含む。
【００１５】
本発明の有機ＥＬ素子は、例えば、前記位相調整層が、前記基板と前記第１の電極との間に配置されている。
【００１６】
本発明の有機ＥＬ素子は、例えば、前記位相調整層が、前記発光層から出射する光の波長をλとした場合に、（１／４）λ＋（１／２）ｐλの厚みを有する。
【００１７】
本発明の有機ＥＬ素子は、例えば、前記位相調整層が、前記第２の電極における間隙に対し、１つおきに対応するように配置されている。
【００１８】
本発明の有機ＥＬ素子は、例えば、前記第２の電極が、金属電極である。
【００１９】
つぎに、本発明の実施形態について、図を用いて説明する。本発明は、下記の実施形態によって何ら限定および制限されない。なお、以下の図面において、同一部分には、同一符号を付している。各実施形態における説明は、それぞれ、互いを援用できる。さらに、各実施形態の構成は、特に言及がない限り、組合せ可能である。また、図面においては、説明の便宜上、各部の構造は適宜簡略化して示す部分があり、各部の寸法比等は、実際とは異なり、模式的に示す場合がある。
【００２０】
（実施形態１）
図１は、本実施形態における有機ＥＬ素子１を横からみた模式図（断面図）である。本実施形態の有機ＥＬ素子１は、ボトムエミッションタイプの有機ＥＬ素子であり、図１において、下方向が、有機ＥＬ素子１の本来の発光方向（発光面側）であり、上方向が、本来の非発光方向（非発光面側）である。図１に示すように、本実施形態の有機ＥＬ素子１は、基板１０と、陽極１１と、有機ＥＬ層１２と、陰極１３と、中間層１４と、封止基板１５とを含み、基板１０上に、陽極１１、有機ＥＬ層１２、および陰極１３が、前記順序で積層されている。封止基板１５は、中間層１４を挟んで基板１０に対向して配置されている。有機ＥＬ層１２は、正孔注入層１２１と、正孔輸送層１２２と、発光層１２３と、電子輸送層１２４と、電子注入層１２５とを含み、これらが前記順序で積層されている。陰極１３は、後述するように、スリット状に間隔をあけて配置されている。なお、中間層１４、封止基板１５、正孔注入層１２１、正孔輸送層１２２、電子輸送層１２４、および電子注入層１２５は、必須の構成要件ではなく、有機ＥＬ素子１に含まれてもよいし、含まれなくてもよい。また、有機ＥＬ素子１において、陽極１１と陰極１３とが、前記順序とは逆に積層されていてもよい。この場合、陽極１１が、スリット状に間隔をあけて配置されている。
【００２１】
有機ＥＬ素子１において、基板１０、陽極１１、正孔注入層１２１、正孔輸送層１２２、発光層１２３、電子輸送層１２４、電子注入層１２５、陰極１３、中間層１４および封止基板１５の材料は、特に制限されず、公知の材料を用いることができる。
【００２２】
基板１０は、有機ＥＬ素子１における発光層１２３の発光を透過させる透過率の高いものであることが好ましい。基板１０の形成材料としては、例えば、無アルカリガラス、ソーダガラス、ソーダライムガラス、硼珪酸ガラス、アルミノ珪酸ガラス、石英ガラス等のガラス；ポリエチレンナフタレート、ポリエチレンテレフタレート等のポリエステル；ポリイミド；ポリメタクリル酸メチル、ポリメタクリル酸エチル、ポリアクリル酸メチル、ポリアクリル酸エチル等のアクリル系樹脂；ポリエーテルサルフォン；ポリ炭酸エステル；等があげられる。基板１０の大きさ（長さおよび幅）は、特に制限されず、例えば、所望の有機ＥＬ素子１の大きさに応じて、適宜設定すればよい。基板１０の厚さも、特に制限されず、その形成材料、使用環境等に応じて、適宜設定でき、例えば、１ｍｍ以下である。
【００２３】
本実施形態において、陽極１１は、透明電極である。前記透明電極を形成する材料としては、例えば、酸化インジウムスズ（ＩＴＯ）等があげられる。
【００２４】
発光層１２３は、電極から注入された電子と正孔とを再結合させ、蛍光、燐光等を発光させる層である。発光層１２３は、発光材料を含む。前記発光材料は、例えば、トリス（８−キノリノール）アルミニウム錯体（Ａｌｑ３）、ビスジフェニルビニルビフェニル（ＢＤＰＶＢｉ）、１，３−ビス（ｐ−ｔ−ブチルフェニル−１，３，４−オキサジアゾールイル）フェニル（ＯＸＤ−７）、Ｎ，Ｎ’−ビス（２，５−ジ−ｔ−ブチルフェニル）ペリレンテトラカルボン酸ジイミド（ＢＰＰＣ）、１，４ビス（Ｎ−ｐ−トリル−Ｎ−４−（４−メチルスチリル）フェニルアミノ）ナフタレン等の低分子化合物、または、ポリフェニレンビニレン系ポリマー等の高分子化合物等があげられる。
【００２５】
また、前記発光材料は、例えば、ホストとドーパントとの二成分系からなり、ホスト分子で生成した励起状態のエネルギーがドーパント分子へ移動してドーパント分子が発光する材料でもよい。このような発光材料は、具体的には、例えば、ホストのＡｌｑ３等のキノリノール金属錯体に、ドーパントの４−ジシアノメチレン−２−メチル−６−（ｐ−ジメチルアミノスチリル）−４Ｈ−ピラン（ＤＣＭ）、２，３−キナクリドン等のキナクリドン誘導体、もしくは、３−（２’−ベンゾチアゾール）−７−ジエチルアミノクマリン等のクマリン誘導体をドープしたもの、ホストの電子輸送性材料であるビス（２−メチル−８−ヒドロキシキノリン）−４−フェニルフェノール−アルミニウム錯体に、ドーパントのペリレン等の縮合多環芳香族をドープしたもの、または、ホストの正孔輸送層材料である４，４’−ビス（ｍ−トリルフェニルアミノ）ビフェニル（ＴＰＤ）に、ドーパントのルブレン等をドープしたもの、ホストの４，４’−ビスカルバゾリルビフェニル（ＣＢＰ）、４，４’−ビス（９−カルバゾリル）−２，２’−ジメチルビフェニル（ＣＤＢＰ）等のカルバゾール化合物に、ドーパントの白金錯体、トリス−（２フェリニルピリジン）イリジウム錯体（Ｉｒ（ｐｐｙ）３）、（ビス（４，６−ジ−フルオロフェニル）−ピリジネート−Ｎ，Ｃ２’）ピコリネートイリジウム錯体（ＦＩｒ（ｐｉｃ））、（ビス（２−（２’−ベンゾ（４，５−α）チエニル）ピリジネート−Ｎ，Ｃ２’）（アセチルアセトネート）イリジウム錯体（Ｂｔｐ２Ｉｒ（ａｃａｃ））、Ｉｒ（ｐｉｃ）３、Ｂｔ２Ｉｒ（ａｃａｃ）等のイリジウム錯体をドープしたもの等があげられる。前記発光材料は、例えば、有機ＥＬ素子１の目的とする発光色に応じて、適宜選択できる。
【００２６】
正孔注入層１２１を形成する材料としては、例えば、銅フタロシアニン（Ｃｕ−Ｐｃ）、ｍ−ＭＴＤＡＴＡ、２−ＴＮＡＴＡ、およびＴＣＴＡ等のスターバースト型芳香族アミン等のアリールアミン誘導体、スピロ−TAD、2,3,6,7,10,11−ヘキサシアノ−1,4,5,8,9,12−ヘキサアザトリフェニレン（HAT-CN）、ならびに、正孔注入性有機材料に五酸化バナジウムや三酸化モリブデン等を化学ドーピングしたもの等があげられる。正孔輸送層１２２を形成する材料としては、例えば、ビス（ジ（ｐ−トリル）アミノフェニル）−１，１−シクロヘキサン、Ｎ,Ｎ’−ジフェニル−Ｎ−Ｎ−ビス（１−ナフチル）−１,１’−ビフェニル）−４,４’−ジアミン（α−ＮＰＤ）、４，４'−ビス（ｍ−トリルフェニルアミノ）ビフェニル（ＴＰＤ）、ＴＡＰＣ等のトリフェニルジアミン類、トリフェニルアミンをさらに多量化したＴＰＴＲ、ＴＰＴＥ、ＮＴＰＡ、スターバースト型芳香族アミン等があげられる。電子輸送層１２４を形成する材料としては、例えば、２−（４−ビフェニリル）−５−（４−ｔ−ブチルフェニル）−１，３，４−オキサジアゾール（Ｂｕ−ＰＢＤ）、２，９‐ジメチル‐４，７‐ジフェニル‐１，１０‐フェナントロリン（BCP）、１，３−ビス（ｐ−ｔ−ブチルフェニル−１，３，４−オキサジアゾールイル）フェニル（ＯＸＤ−７）等のオキサジアゾール誘導体、トリアゾール誘導体、キノリノール系の金属錯体、トリフェニルジアミン誘導体等があげられる。電子注入層１２５を形成する材料としては、例えば、リチウムおよびセシウム等のアルカリ金属、カルシウム等のアルカリ土類金属のフッ化物や酸化物、ならびに、マグネシウム銀、リチウムアルミニウム合金等があげられる。
【００２７】
陰極１３は、例えば、金属（例えば、アルミニウム等）等の対向電極である。陰極１３は、スリット状に間隔をあけて配置されている。陰極１３の幅および前記間隙の幅（有機ＥＬ層１２の面方向において、陰極１３および前記スリットの長さ方向に対して垂直方向の長さ）は、特に制限されず、陰極１３の幅が、例えば、０．１〜５０００μｍ、１００〜３０００μｍ、２００〜２０００μｍであり、前記間隙の幅が２〜１００００μｍ、２００〜６０００μｍ、４００〜４０００μｍである。
【００２８】
本実施形態において、陰極１３は、スリット状であり、間隔をあけて配置されている。ただし、陰極１３の形状は、前記スリット状には限定されず、間隔をあけて配置されていればよく、例えば、グリット状等でもよい。陰極１３は、例えば、間隔をあけて配置されている陰極１３が、互いに部分的に接続していてもよいし、未接続でもよい。
【００２９】
中間層１４は、例えば、保護層、充填層、および接着層からなる群のうち少なくとも一つにより形成される層である。
【００３０】
前記保護層は、有機ＥＬ素子１を保護する層である。前記保護層は、例えば、水および酸素等の浸入を防ぐため、ガスバリア性を有していることが好ましい。前記保護層を形成する材料としては、ガスバリア性、および光透過性の観点から、例えば、無機酸化膜、無機酸窒化膜、無機窒化膜、および無機フッ化膜等からなる群のうち少なくとも一つを使用できる。具体的には、例えば、シリコン酸窒化膜（ＳｉＯｘＮｙ）、シリコン酸化膜（ＳｉＯ２）、シリコン窒化膜（ＳｉＮｘ）、酸化アルミニウム（Ａｌ２Ｏ３）、酸化チタン（ＴｉＯ２）、およびフッ化マグネシウム（ＭｇＦ２）等があげられる。前記保護層は、例えば、単層からなる層でもよく、複数の層からなる層でもよい。後者の場合、例えば、ガスバリア性を高めるために、複数の前記ガスバリア性の膜を積層できる。
【００３１】
フレキシブル性を有する有機ＥＬ素子１とする場合、前記保護層に可撓性をもたせるため、前記保護層には、さらに緩衝層を積層してもよい。前記緩衝層を形成する材料としては、透過性、可撓性、および熱安定性の観点から、例えば、エポキシ系樹脂、シリコーン系樹脂、アクリル系樹脂、イミド系樹脂、アミド系樹脂、ウレタン系、およびオレフィン系樹脂、前記樹脂材料に無機材料のシリカ等を添加した有機−無機ハイブリッド材料、ならびに、塗布型のシリコン酸化膜等の無機材料があげられる。前記保護層および前記緩衝層は、例えば、交互に積層してもよい。
【００３２】
前記充填層は、例えば、気体および樹脂等の充填材等を含む層である。前記気体は、例えば、窒素、アルゴン、およびネオン等の不活性ガス、ならびに希ガスである。前記樹脂は、例えば、エポキシ系樹脂、シリコーン系樹脂、アクリル系樹脂、イミド系樹脂、アミド系樹脂、ウレタン系およびオレフィン系樹脂である。
【００３３】
前記接着層は、例えば、基板間の貼り合せ材を含む層である。前記貼り合せ材としては、例えば、エポキシ系、アクリル系およびシリコーン系の接着剤、ならびに粘着剤を用いたものがあげられる。
【００３４】
中間層１４は、例えば、前記保護層、前記充填層、および前記接着層のいずれか１種類からなる層でもよく、いずれか２種類以上を組み合わせた積層構造の層でもよい。中間層１４が、例えば、前記保護層、前記充填層、および前記接着層の３層を含む前記積層構造である場合、各層の積層順は、特に制限されず、例えば、前記保護層、前記充填層、および前記接着層の順に積層できる。例えば、陽極１１、有機ＥＬ層１２、および陰極１３の有機層等に接する領域には、前記保護層が配置されていることが好ましい。前記保護層が配置されている場合、前記充填層は、配置されていても、いなくてもよい。また、例えば、前記有機層等に接する領域に、前記保護層が配置されず、前記充填層が配置されてもよい。前記保護層が配置されず、前記充填層が配置される形態は、例えば、照明分野で使用される。前記接着層は、例えば、前記保護層または前記充填層の上（前記保護層または前記充填層に接する領域であって、前記有機層等に接する領域とは反対側）に配置されている。
【００３５】
封止基板１５は、有機ＥＬ素子１を封止する。封止基板１５を形成する材料としては、例えば、無アルカリガラスおよびソーダガラス等の透明なガラス類、ＰＥＴ（ポリエチレンテレフタレート）、ＰＥＮ（ポリエチレンナフタレート）、ＰＥＳ（ポリエーテルサルフォン）、ＰＩ（ポリイミド）、およびＣＯＰ（シクロオレフィンポリマー）等のフィルム、シート類、ならびに樹脂基板等があげられる。
【００３６】
本実施形態によれば、陰極１３が前記間隙を有する場合でも、例えば、以下（Ｉ）〜（ＩＩＩ）の少なくともいずれかの光が、陰極１３の前記間隙を通過することを抑制できる。
（Ｉ）発光層から出射し、有機ＥＬ素子における界面のうち発光層よりも陽極側の界面で反射した光
（ＩＩ）発光層から出射し、陰極における有機ＥＬ層に面する側の界面で反射し、さらに、発光層よりも陽極側の前記界面で反射した光
（ＩＩＩ）発光層から出射し、陰極方向に出射した光
【００３７】
前記（Ｉ）において、前記有機ＥＬ素子における界面のうち発光層よりも陽極側の界面とは、例えば、図１における陽極１１と基板１０との界面、および基板１０と大気との界面である。以下の説明において、前記有機ＥＬ素子における界面のうち発光層よりも陽極側の界面が、例えば、図１における陽極１１と基板１０との界面である場合について述べるが、本発明は、これには限定されず、前記界面が、例えば、図１における基板１０と大気との界面である場合についても同様である。
【００３８】
本発明において、前記非発光面側からの発光を抑制するとは、例えば、前記（Ｉ）〜（ＩＩＩ）の光のうち、すべての光を弱めることでもよいし、一部の光を弱めることでもよい。後者の場合、例えば、前記（Ｉ）および（ＩＩ）の光を弱めてもよい。一般的な有機ＥＬ素子の構造において、発光層と陰極との間隔は、例えば、数十ｎｍ程度と短いことから、前記（ＩＩＩ）の光の影響は、問題になりにくい。したがって、例えば、前記（Ｉ）および（ＩＩ）の光を弱めることによっても、前記非発光面側からの発光を抑制できる。
【００３９】
陰極１３における有機ＥＬ層１２に面する側の界面での反射の場合、例えば、前記光の位相に１／２×λのずれが生じる。一方、陽極１１と基板１０との界面での反射の場合、例えば、基板１０よりも陽極１１の屈折率が大きいため、前記光の位相にずれは生じない。
【００４０】
本実施形態において、発光層１２３と、陽極１１と基板１０との界面との光学距離をＬ１、前記発光層と、有機ＥＬ層１２と陰極１３との界面との光学距離をＬ２、および発光層１２３から出射する光の波長をλとした場合に、前記Ｌ１、前記Ｌ２、およびλは、下記式（７）の関係を満たす。
【数６】
2019106245.tif 000008
【００４１】
前記式（７）において、ａは、０以上の任意の整数であり、特に制限されない。ａは、例えば、有機ＥＬ素子１の所望の多層膜構造等に応じて、適宜設定できる。ａは、例えば、それぞれ、同じでもよいし、異なってもよい。（以下、同様。）
【００４２】
前記光学距離は、例えば、実距離に屈折率を乗算することにより、求めることができる。前記光学距離Ｌ１およびＬ２は、例えば、前記Ｌ１およびＬ２に含まれる各膜について前記光学距離を求め、これを加算することにより、得ることができる。
【００４３】
有機ＥＬ素子１において、前記光学距離Ｌ１およびＬ２に基づき実距離を求める場合、前記実距離は、実際には、前記計算により求められた値に対し、許容範囲内の誤差があってもよく、例えば、前記光が、干渉により弱め合うことができる範囲であればよい。
【００４４】
前記式（７）の関係を満たすには、例えば、正孔注入層１２１、正孔輸送層１２２、および陽極１１の少なくともいずれかの膜厚を変更することにより、前記Ｌ１およびＬ２を調整できる。このように、前記式（７）の関係を満たすには、有機ＥＬ素子１の正孔側における前記各層の膜厚を変更することが、例えば、素子の発光・電気特性への影響が小さいため、好ましい。前記膜厚の変更は、具体的には、例えば、光学干渉の影響を受ける発光スペクトル、および外部量子効率等に基づき、最適となるＬ１を求め、次に、Ｌ１を構成する各層の膜厚のバランスを調整する。前記各層の膜厚のバランスは、特に制限されず、例えば、前記各層を形成する材料の移動度および注入効率等に基づき、素子に注入されるホールと電子とのキャリアバランスおよびそれによる発光効率（量子効率）等が所望の値となるよう、適宜設定できる。これにより、例えば、裏面への光漏れを抑え、且つ駆動電圧が低く発光効率の高い有機ＥＬ素子を得ることができる。ただし、これには制限されず、例えば、有機ＥＬ素子１の陰極１３側における前記各層の膜厚を変更することにより、前記Ｌ１およびＬ２を調整してもよい。
【００４５】
前記Ｌ１、前記Ｌ２、およびλが前記式（７）の関係を満たすことにより、例えば、前記（Ｉ）および（ＩＩ）の光の位相が、それぞれ調整され、前記（Ｉ）の光と前記（ＩＩ）の光とを、例えば、逆位相とすることができる。前記（Ｉ）および（ＩＩ）の光は、陰極１３の前記間隙を通過し、漏れ光として、有機ＥＬ素子の非発光方向に出射される。しかし、本実施形態の有機ＥＬ素子１は、前記Ｌ１、前記Ｌ２、およびλが前記式（７）の関係を満たすことにより、前記（Ｉ）および（ＩＩ）の光が、例えば、逆位相となるため、これらの光が、干渉により弱め合う。このため、図１において矢印で示すような、光の漏れを抑制できる。このように、前記式（７）の関係を満たすことにより、前記（Ｉ）および（ＩＩ）の光が弱め合うため、前記式（７）は、例えば、有機ＥＬ素子の前記非発光面側からの発光において、陰極１３と有機ＥＬ層１２との界面での反射、および陽極１１と基板１０との界面での反射の寄与が大きい場合に、好適に適用できる。なお、有機ＥＬ素子１は、例えば、陰極１３と有機ＥＬ層１２との界面、および陽極１１と基板１０との界面における屈折率差が大きいことから、前記反射による寄与が大きいと考えられる。
【００４６】
前記（ＩＩ）の光は、例えば、陰極１３における反射後、前記（Ｉ）の光との干渉により、弱め合う。ただし、これには限定されず、前記（ＩＩ）の光は、例えば、陰極１３における反射後、さらに基板１０と陽極１１との界面で反射し、この光が、前記（Ｉ）の光との干渉により、弱め合ってもよい。
【００４７】
前記Ｌ１、前記Ｌ２、およびλが前記関係を満たすことにより、前記２つの光を、例えば、逆位相とすることができるが、本発明は、これには限定されず、前記光が、干渉により弱め合うことができればよい。干渉により弱め合うことができるとは、前記光の位相差が、例えば、１３５〜２２５度、１４０〜２２０度、１６０〜２００度の範囲であればよい。
【００４８】
前記Ｌ１、前記Ｌ２、およびλは、例えば、下記式（１）および（２）の関係を満たしてもよい。
【数７】
2019106245.tif 000009
【００４９】
前記式（１）および（２）において、ｍおよびｎは、０以上の任意の整数であり、特に制限されない。ｍおよびｎは、例えば、有機ＥＬ素子１の所望の多層膜構造等に応じて、適宜設定できる。ｍおよびｎは、例えば、それぞれ、同じでもよいし、異なってもよい。（以下、同様。）
【００５０】
前記Ｌ１、前記Ｌ２、およびλが前記式（１）および（２）の関係を満たすことにより、例えば、前記（Ｉ）および（ＩＩ）の光の位相が、それぞれ調整され、前記（Ｉ）の光と前記（ＩＩ）の光とを、例えば、逆位相とすることができる。また、前記（Ｉ）の光と前記（ＩＩＩ）の光とを、例えば、逆位相とすることができる。前記（Ｉ）〜（ＩＩＩ）の光は、陰極１３の前記間隙を通過し、漏れ光として、有機ＥＬ素子の非発光方向に出射される。しかし、本実施形態の有機ＥＬ素子１は、前記Ｌ１、前記Ｌ２、およびλが前記式（１）および（２）の関係を満たすことにより、前記（Ｉ）および（ＩＩ）の光、ならびに前記（ＩＩ）および（ＩＩＩ）の光が、例えば、逆位相となるため、これらの光が、干渉により弱め合う。このため、図１において矢印で示すような、光の漏れを抑制できる。このように、前記式（１）および（２）の関係を満たすことにより、前記（Ｉ）および（ＩＩ）の光、ならびに前記（ＩＩ）および（ＩＩＩ）の光が弱め合うため、前記式（１）および（２）は、例えば、有機ＥＬ素子の前記非発光面側からの発光において、陰極１３と有機ＥＬ層１２との界面での反射、および陽極１１と基板１０との界面での反射の寄与が大きい場合に、好適に適用できる。
【００５１】
前記Ｌ１、前記Ｌ２、およびλは、例えば、下記式（１’）および（２）の関係を満たしてもよい。下記式（１’）および（２）の関係を満たすことで、例えば、正孔注入・正孔輸送側の膜厚を十分な大きさとすることができる。このため、素子の信頼性等の観点から、好ましい。
【数８】
2019106245.tif 000010
【００５２】
または、前記Ｌ１、前記Ｌ２、およびλは、下記式（３）および（４）の関係を満たす。
【数９】
2019106245.tif 000011
【００５３】
前記Ｌ１、前記Ｌ２、およびλが前記式（３）および（４）の関係を満たすことにより、例えば、前記（Ｉ）および（ＩＩ）の光の位相が、それぞれ調整され、前記（Ｉ）の光と前記（ＩＩ）の光とを、例えば、逆位相とすることができる。また、前記（ＩＩ）の光と前記（ＩＩＩ）の光とを、例えば、逆位相とすることができる。前記（Ｉ）〜（ＩＩＩ）の光は、陰極１３の前記間隙を通過し、漏れ光として、有機ＥＬ素子の非発光方向に出射される。しかし、本実施形態の有機ＥＬ素子１は、前記Ｌ１、前記Ｌ２、およびλが前記式（３）および（４）の関係を満たすことにより、前記（Ｉ）および（ＩＩ）の光、ならびに前記（ＩＩ）および（ＩＩＩ）の光が、例えば、逆位相となるため、これらの光が、干渉により弱め合う。このため、図１において矢印で示すような、光の漏れを抑制できる。このように、前記式（３）および（４）の関係を満たすことにより、前記（Ｉ）および（ＩＩ）の光、ならびに前記（ＩＩ）および（ＩＩＩ）の光が弱め合うため、前記式（３）および（４）は、例えば、有機ＥＬ素子の前記非発光面側からの発光において、陰極１３と有機ＥＬ層１２との界面での反射、および陽極１１と基板１０との界面での反射の寄与が大きい場合に、好適に適用できる。
【００５４】
または、前記Ｌ１、前記Ｌ２、およびλは、下記式（５）および（６）の少なくとも一方の関係を満たす。
【数１０】
2019106245.tif 000012
【００５５】
前記Ｌ１、前記Ｌ２、およびλが前記式（５）および（６）の少なくとも一方の関係を満たすことにより、前記（Ｉ）および（ＩＩ）の少なくとも一方の光の位相が、それぞれ調整され、前記（Ｉ）の光および前記（ＩＩ）の少なくとも一方の光と前記（ＩＩＩ）の光とを、例えば、逆位相とすることができる。前記（Ｉ）〜（ＩＩＩ）の光は、陰極１３の前記間隙を通過し、漏れ光として、有機ＥＬ素子の非発光方向に出射される。しかし、本実施形態の有機ＥＬ素子１は、前記Ｌ１、前記Ｌ２、およびλが前記式（５）および（６）の少なくとも一方の関係を満たすことにより、前記（Ｉ）および（ＩＩＩ）の光、ならびに前記（ＩＩ）および（ＩＩＩ）の光の少なくとも一方が、例えば、逆位相となるため、これらの光が、干渉により弱め合う。このため、図１において矢印で示すような、光の漏れを抑制できる。このように、前記式（５）および（６）の少なくとも一方の関係を満たすことにより、前記（Ｉ）および（ＩＩＩ）の光、ならびに前記（ＩＩ）および（ＩＩＩ）の光の少なくとも一方が弱め合うため、前記式（５）および（６）は、例えば、有機ＥＬ素子の前記非発光面側からの発光において、発光層１２３から出射し、陰極１３方向に出射した光の寄与が大きい場合に、好適に適用できる。
【００５６】
または、前記Ｌ１、前記Ｌ２、およびλは、前記式（５）および（６）の関係を満たす。
【００５７】
前記Ｌ１、前記Ｌ２、およびλが前記式（５）および（６）の関係を満たすことにより、前記（Ｉ）および（ＩＩ）の光の位相が、それぞれ調整され、前記（Ｉ）の光および前記（ＩＩ）の光と前記（ＩＩＩ）の光とを、例えば、逆位相とすることができる。また、前記Ｌ１、前記Ｌ２、およびλが前記式（５）および（６）の関係を満たすことにより、前記（Ｉ）および（ＩＩ）の光の位相が、それぞれ調整され、前記（Ｉ）の光と前記（ＩＩ）の光とが、例えば、同位相となる。前記（Ｉ）〜（ＩＩＩ）の光は、陰極１３の前記間隙を通過し、漏れ光として、有機ＥＬ素子の非発光方向に出射される。しかし、本実施形態の有機ＥＬ素子１は、前記Ｌ１、前記Ｌ２、およびλが前記式（５）および（６）の関係を満たすことにより、前記（Ｉ）および（ＩＩ）の光、ならびに前記（ＩＩ）および（ＩＩＩ）の光が、例えば、逆位相となるため、これらの光が、干渉により弱め合う。このため、図１において矢印で示すような、光の漏れを抑制できる。このように、前記式（５）および（６）の関係を満たすことにより、前記（Ｉ）および（ＩＩＩ）の光、ならびに前記（ＩＩ）および（ＩＩＩ）の光が弱め合うため、前記式（５）および（６）は、例えば、有機ＥＬ素子の前記非発光面側からの発光において、発光層１２３から出射し、陰極１３方向に出射した光の寄与が大きい場合に、好適に適用できる。
【００５８】
有機ＥＬ素子１において、陰極１３の前記間隙の下部分（以下、間隙の下部分ともいう）には、例えば、図１に示すように、陽極１１および有機ＥＬ層１２等の層（以下、有機層等ともいう。）が配置されている。本実施形態の有機ＥＬ素子は、これには限定されない。その他の形態の一例を、図２に示す。図２は、陰極１３の前記間隙の下部分に、前記有機層等が未配置の有機ＥＬ素子１を示す図である。図２に示すように、有機ＥＬ素子１において、前記間隙の下部分には、前記有機層等が未配置でもよいし、部分的に配置されていてもよいし、前記有機層等のうち一部の層が、全体または部分的に配置されてもよい。前記間隙の下部分に前記有機層等が配置されない場合、前記間隙の下部分は、例えば、後述する中間層１４と同様の層により形成されることが好ましい。前記間隙の下部分に前記有機層等が配置されない場合、例えば、非発光時に、前記有機層等において、光の吸収による着色が生じにくいため、前記間隙がより透明となる。このため、前記スリット間（前記間隙）を通して有機ＥＬ素子１の反対側（裏面側）を見る場合に、好ましい。
【００５９】
陰極１３の前記間隙の下部分に、前記有機層等が配置されない場合、陽極１１は、ベタ膜形成（一面形成）されていてもよいし、図２に示すように、パターン形成されていてもよい。前記パターン形成は、例えば、陰極１３における前記間隙の形状に対応してもよいし、対応しなくてもよい。前記パターンは、例えば、スリット状およびグリット状である。陽極１１がパターン形成されることにより、例えば、陽極１１と基板１０との界面による光の反射を抑制できる。例えば、陽極１１が未配置の部分において、基板１０と中間層１４との界面での光の反射は、陽極１１と透明基板１０との界面での光の反射と比較し、より小さくなるため、光を、より多く、本来の光の方向に出射できる。また、陽極１１が前記一面形成されている場合、例えば、専用のエッチング工程が不要となり、プロセス負荷を軽減できる。
【００６０】
前記間隙の下部分に、前記有機層等のうち、一部の層が配置される場合、例えば、前記間隙の下部分に、陽極１１が配置されず、有機ＥＬ層１２のみが配置されてもよい。有機ＥＬ層１２が配置されることにより、例えば、有機ＥＬ層１２が絶縁膜の役割を果たす。そのため、有機ＥＬ素子１について、例えば、さらに、短絡防止、およびダークスポットの抑制等が可能であり、これによって、有機ＥＬ素子１の信頼性がより向上する。また、この場合、有機ＥＬ層１２は、例えば、ベタ膜形成（一面形成）できるため、有機ＥＬ層１２を、パターニング形成する場合と比較し、例えば、プロセス負荷をより小さくできる。
【００６１】
（実施形態２）
本実施形態の有機ＥＬ素子１は、図３に示すように、さらに、位相調整層１６を含む点以外は、実施形態１の有機ＥＬ素子１と同様である。
【００６２】
位相調整層１６は、例えば、基板１０と陽極１１との間に配置される。ただし、これには制限されず、例えば、有機ＥＬ層１２と陰極１３との間、ならびに、前記Ｌ１および前記Ｌ２に含まれる各層の間に設けることができる。位相調整層１６は、例えば、複数の層に設けられてもよい。
【００６３】
位相調整層１６の材料は、例えば、ポリカーボネート樹脂、ポリオレフィン樹脂、ノルボルネン樹脂、ポリアリレート樹脂、ポリサルフォン樹脂、およびポリビニルアルコール等の合成樹脂系、ならびに、二酢酸セルロース、および三酢酸セルロース（TAC系樹脂）等の天然樹脂系からなるフィルムに対して、一軸または二軸延伸を行った透明樹脂を用いることができる。また、光透過性を有する、無機酸化膜、無機酸窒化膜、無機窒化膜、および無機フッ化膜等からなる群から選択されたいずれか１種または２種以上を組み合わせた材料を使用することができ、具体的には、例えば、シリコン酸窒化膜（ＳｉＯｘＮｙ）、シリコン酸化膜（ＳｉＯ２）、シリコン窒化膜（ＳｉＮｘ）、酸化アルミニウム（Ａｌ２Ｏ３）、酸化チタン（ＴｉＯ２）、フッ化マグネシウム（ＭｇＦ２）等があげられる。また、位相調整層１６の材料は、例えば、ガスバリア性を有する前記保護層と同様の材料を用いることができる。
【００６４】
位相調整層１６を配置することにより、例えば、前記Ｌ１および前記Ｌ２を調整できる。すなわち、有機ＥＬ素子１の各層の膜厚を変更することに加えて、または代えて、位相調整層１６の厚みを適宜設定することにより、前記実施形態１における前記各式の関係を満たすように、前記Ｌ１および前記Ｌ２を調整することができる。このため、例えば、有機ＥＬ素子１の各層の膜厚等について、発光効率等の光学・電気特性の観点に基づき、好ましい値とすることができる。
【００６５】
また、位相調整層１６の厚みは、例えば、前記発光層から出射する光の波長をλとした場合に、（１／４）λ＋（１／２）ｐλ（ｐは、０以上の任意の整数）としてもよい。発光層１２３から出射し、基板１０と陽極１１との界面で反射する光は、例えば、位相調整層１６を往復する。このため、位相調整層１６を前記厚みとすることにより、前記光の位相を、位相調整層１６を透過していない光の位相と比べて、例えば、逆位相とすることができる。
【００６６】
位相調整層１６は、例えば、１枚の位相調整層からなるものでもよいし、複数枚の位相調整層を組み合わせたものでもよい。後者の場合、位相調整層１６は、例えば、（１／４）λの厚みを有する前記位相調整層と（１／２）λの厚みを有する前記位相調整層とを任意の順序で貼り合せたものでもよいし、複数枚の（１／４）λの厚みを有する前記位相調整層を貼り合せたものでもよい。
【００６７】
位相調整層１６は、例えば、有機ＥＬ層１２の面方向において、全面に配置されてもよいし、部分的に配置されてもよい。後者の場合、位相調整層１６は、例えば、陰極１３における前記間隙に対し、１つおきに対応するように配置されている。これにより、例えば、位相調整層１６を透過した光と位相調整層１６を透過していない光とを干渉させ、これらの光を弱めることができる。このため、図３において矢印で示すような、光の漏れを抑制できる。
【００６８】
（実施形態３）
本実施形態の有機ＥＬ素子２は、ボトムエミッションタイプの有機ＥＬ素子であることに代えて、トップエミッションタイプの有機ＥＬ素子であること以外は、実施形態１の有機ＥＬ素子１と同様である。有機ＥＬ素子２は、図４に示すように、基板２０と、陽極２１と、有機ＥＬ層２２と、陰極２３と、封止基板２５とを含み、基板２０上に、陽極２１、有機ＥＬ層２２、陰極２３および封止基板２５とが、前記順序で積層されている。有機ＥＬ層２２は、正孔注入層２２１と、正孔輸送層２２２と、発光層２２３と、電子輸送層２２４と、電子注入層２２５とを含み、これらが前記順序で積層されている。陽極２１は、スリット状に間隔をあけて配置されている。
【００６９】
本実施形態において、発光層２２３と、陰極２３と封止基板２５との界面との光学距離をＬ１、発光層２２３と、有機ＥＬ層２２と陽極２１との界面との光学距離をＬ２、および発光層２２３から出射する光の波長をλとした場合に、前記Ｌ１、前記Ｌ２、およびλは、実施形態１における前記各式の関係を満たす。図３に示される（Ｉ）〜（ＩＩＩ）の光は、陽極２１の前記間隙を通過し、漏れ光として、有機ＥＬ素子の非発光方向に出射される。しかし、本実施形態の有機ＥＬ素子２は、前記Ｌ１、前記Ｌ２、およびλが実施形態１における前記各式の関係を満たすことにより、前記（Ｉ）〜（ＩＩＩ）の光が、例えば、逆位相となるため、これらの光が、干渉により弱め合う。このため、図４において矢印で示すような、光の漏れを抑制できる。
【００７０】
（実施形態４）
本発明の有機ＥＬ照明装置は、前記本発明の有機ＥＬ素子を含むことを特徴とする。本発明の有機ＥＬ照明装置によれば、非発光面側からの発光を抑制できる。
【００７１】
以上、実施形態を参照して本発明を説明したが、本発明は、上記実施形態に限定されるものではない。本発明の構成や詳細には、本発明のスコープ内で当業者が理解しうる様々な変更をできる。
【産業上の利用可能性】
【００７２】
本発明によれば、有機ＥＬ素子における非発光面側からの発光を抑制できる。このため、例えば、本発明によれば、例えば、デザイン性の高い有機ＥＬ素子を提供できる。
【符号の説明】
【００７３】
１、２              有機ＥＬ素子
１０、２０          基板
１１、２１          陽極
１２、２２          有機ＥＬ層
１２１、２２１      正孔注入層
１２２、２２２      正孔輸送層
１２３、２２３      発光層
１２４、２２４      電子輸送層
１２５、２２５      電子注入層
１３、２３          陰極
１４                中間層
１５、２５          封止基板
１６                位相調整層
【図１】
2019106245.tif 000018
【図２】
2019106245.tif 000019
【図３】
2019106245.tif 000020
【図４】
2019106245.tif 000021